(57)【要約】【課題】【解決手段】本発明のバックルアセンブリは、第１の固定装置２１１を有する雌バックルメンバー２３及び第１の噛み合わせ部材２２１を有すると共に該雌バックルメンバー２３に、軸回転可能に接続して開閉操作を行う開閉板２２を備えた雌バックル部材アセンブリと、第２の固定装置２３１、その一端に位置して前記雌バックルメンバーの第１の固定装置を受け入れる凹溝２３２，及び他端に近接して閉鎖状態時の前記開閉板における前記第１の噛み合わせ部材と整合する第２の噛み合わせ部材２３３を備えた雄バックルメンバーと、を備えてなる。【選択図】　　図２
2004081803.tif 000002
【特許請求の範囲】
【請求項１】
第１の固定装置を有する雌バックルメンバー、及び、第１の嵌合部材を有すると共に該雌バックルメンバーに軸回転可能に接続して開閉操作を行う開閉板、を備えた雌バックル部材アセンブリと、
第２の固定装置、その一端に位置して前記雌バックルメンバーの第１の固定装置を受け入れる凹溝及び他端に近接して閉鎖状態時の前記開閉板における前記第１の噛み合わせ部材と整合する第２の噛み合わせ部材を備えた雄バックルメンバーと、
を備えてなることを特徴とするバックルアセンブリ。
【請求項２】
前記第１の噛み合わせ部材は、バックルであり、そして、前記第２の噛み合わせ部材は、該バックルを受け入れる雌尾錠であることを特徴とする請求項１に記載のバックルアセンブリ。
【請求項３】
前記第１及び第２の固定装置は、バックルであることを特徴とする請求項１に記載のバックルアセンブリ。
【請求項４】
前記雌バックル部材アセンブリは、前記第１の固定装置により物体のカバーに固定され、一方、前記雄バックルメンバーは前記第２の固定装置により該物体の本体に固定されていることを特徴とする請求項１に記載のバックルアセンブリ。
【請求項５】
前記物体は、手提げかばんであることを特徴とする請求項４に記載のバックルアセンブリ。
【請求項６】
それぞれの両端に位置した延伸部分を有し、
当該各延伸部分は、夫々スリットが形成され、これらスリットの各両端が半円形状に形成された手提げ部と、
前記延伸部分を固定するように、夫々前記手提げ部の対応端に取り付けられた２つの固定器と、を備え、
該固定器は、さらに前記スリットにより前記手提げ部の円形バックルをガイドするための突出を有するベースと、前記ベースと合わせて前記手提げ部の前記延伸部分を支持する支持カバーと、を備えてなり、
これにより前記手提げ部における前記延伸部分は前記スリットと前記円形バックルとの相互作用により抗滑走及び停滞するように制御されることを特徴とするハンドアセンブリ
【請求項７】
前記固定器の前記ベースは、前記物体の上表面に固定されていることを特徴とする請求項６に記載のハンドルアセンブリ。
【発明の詳細な説明】
【０００１】
【発明の属する技術分野】
本発明は、ハンドルアセンブリ及びバックルアセンブリに関し、特に、手提げかばんのハンドルアセンブリ及びバックルアセンブリに関する。
【０００２】
【従来の技術】
従来からかばんは、各人が文書及び文具を挿入して携帯するための用具として用いられてきた。この中に手で持つ手提げかばんが汎用されている。使用者は、通常使用するかばんの機能及び実用性に基づいて適正なかばんを選択しているが、これらかばんはなお、使用者の需要を十分に満足していないのが現状である。
【０００３】
図１（ａ）（ｂ）は、従来の典型的な手提げかばんを示す外観　見取り図である。これら図に示すように、この典型的な手提げかばんは嵌め込みボタン１１と、噛み合わせ部１２、カバー１３と、手提げ部１６とを備えている。ところが嵌め込みボタン１１は、余りに粗略的に造られているためにカバー１３を緊密にかばん１に締め付けることができない。さらには、該嵌め込み１１及び噛み合わせ部材１２は、通常この噛み合わせ部材１２内に設置されたばねにより噛み合っているので、嵌め込みボタン１１及び噛み合わせ部１２をある期間重複して使用すると破損してしまうという欠点が存在している。一方、該手提げかばんには、かばんを手に提げるための手提げ部１６が取り付けられているが、この手提げ部１６は、構造上、自在に手に提げることが出来ず、特に携帯の際に使用者の需要に応じて延ばすことができない。
【０００４】
本発明は、バックルアセンブリを提供することにより上記の欠点を解消することを目的とする。
【０００５】
発明の要旨
上記目的を達成するための本発明のバックルアセンブリは、雌バックル部材アセンブリと、雄バックルメンバーとを具備している。前記雌バックル部材アセンブリは、第１の固定装置を有する雌バックルメンバー及び第１の噛み合わせ部材を有すると共に該雌バックルメンバーに軸回転可能に接続して開閉操作を行う開閉板を備えている。前記雄バックルメンバーは、第２の固定装置、前記雄バックルメンバーの一端に位置して前記雌バックルメンバーの第１の固定装置を受け入れる凹溝、及び、他端に近接して閉鎖状態時の前記開閉板における前記第１の噛み合わせ部材と整合する第２の噛み合わせ部材、を含んでいる。
【０００６】
上記発明のバックルアセンブリにおいて、前記第１の噛み合わせ部材は、バックルであり、そして前記第２の噛み合わせ部材は、該バックルを受け入れる雌尾錠であり得る。
【０００７】
また、上記発明のバックルアセンブリにおいて、前記第１及び第２の固定装置は、バックルであり得る。
【０００８】
なお、上記本発明のバックルアセンブリにおいて、前記雌バックル部材アセンブリは、前記第１の固定装置により物体のカバーに固定され、一方、前記雄バックルメンバーは、前記第２の固定装置により該物体の本体に固定され得る。
【０００９】
また、上記本発明のバックルアセンブリにおいて、前記物体は、手提げかばんであり得る。
【００１０】
さらには、上記目的を達成するための本発明のハンドルアセンブリは、
それぞれその両端に位置した延伸部分を有し、当該各延伸部分にはスリットが形成され、これらスリットの各両端が半円形状に形成された手提げ部と、
前記延伸部分を固定するようにそれぞれ前記手提げ部の対応端に取り付けられた２つの固定器と、を備え、
該固定器はさらに前記スリットにより前記手提げ部の円形バックルをガイドするための突出を有するベースと、前記ベースと合わせて前記手提げ部の延伸部分を支持する支持カバーとを備えてなり、
これにより、前記手提げ部における前記延伸部分は前記スリットと前記円形バックルとの相互作用により抗滑走及び停滞するように制御されることを特徴とする。
【００１１】
上記本発明のハンドアセンブリにおいて、前記固定器の前記ベースは、前記物体の上表面に固定され得る。
【００１２】
このように、上記課題の解決手段による本発明のハンドルアセンブル及びバックルアセンブリは、雌バックル部材アセンブリ及び雄バックルメンバーがバックル及び開閉板により噛み合わされているので、緊密かつ安定に手提げかばんのカバーを締め付けることが出来ると共に、バックルアセンブリがばねにより操作されているので従来の形式のかばんに比較して耐用である。他方、本発明のハンドルアセンブリは使用者の需要に応じて拡充されているので極めて容易に操作することが出来る。
【００１３】
【発明の実施の形態】
以下、添付の図面を参照しながら本発明の実施の形態について説明する。図２（ａ）及び（ｂ）は、本発明に係る手提げかばんのバックルアセンブリの好適な実施の形態を示す図である。該バックルアセンブリは、雌バックルメンバー２１及び開閉板２２を備えてなる雌バックル部材アセンブリと雄バックルメンバー２３とにより構成されている。
【００１４】
雌バックルメンバー２１には、第１の固定装置２１１があり、そして開閉板２２には、第１の噛み合わせ部材２２１を有するとともに開閉操作に寄与するように軸回転可能にバックル部材２１に接続されている。雄バックルメンバー２３は、さらに第２の固定装置２３１と、一端に位置して第１の固定装置２１１と噛み合う凹溝２３２と、他端に近接して閉鎖状態時の開閉板２２における第１の噛み合わせ部材２２１と、整合する第２の噛み合わせ部材２３３とを備えてなる。また、図２（ａ）は、閉鎖状態時の開閉板２２を示し、図２（ｂ）は、開放状態の開閉板２２を示す図である。第１の噛み合わせ部材２２１、第１の固定装置２１１、及び、第２の固定装置２３１は、バックルであり、そして第２の噛み合わせ部材２３３は、第１の噛み合わせ部材２２１を受け入れる雌尾錠である。バックルアセンブリの雌バックル部材アセンブリは、第１の固定装置２１１により物体のカバー上に固定される。他方、該バックルアセンブリの雄バックルメンバー２３は、第２の固定装置２３１により該物体の本体上に固定される。
【００１５】
図３（ａ）及び（ｂ）は、本発明に係るハンドルアセンブリの好適な実施の形態を示す図である。図に示すようにハンドルアセンブルは手提げ部３１及び２つの固定器３２を備えている。この手提げ部３１は、さらに、その両端に位置した延伸部分３１１を備えている。前記各延伸部分３１１には、それぞれスリット（図示せず）が形成されてあり、そしてこれらのスリットの各両端は半円形状に形成されている。２つの固定器３２は、それぞれ延伸部分３１１を固定するように手提げ部３１の対応端に設けられている。これら固定器３２は、さらに、該スリットにより手提げ部３１の円形バックル３２２をガイドする突出を有するベース３２１と、これに合わせて手提げ部３１の延伸部分３１１を支持する支持カバー３１２とを備えている。これにより手提げ部３１における延伸部分３１１は、スリットと円形バックル３２２との相互作用により抗滑及び停滞するように制御される。ハンドルアセンブリの固定器のベースは、手提げかばんの上表面に固定されている。
【００１６】
このように上記実施の形態における本発明のハンドルアセンブリ及びバックルアセンブリは、雌バックル部材アセンブリ及び雄バックルメンバーがバックル及び開閉板により噛み合わされているので、緊密かつ安定に手提げかばんのカバーを噛み合わすことが出来ると共に、バックルアセンブリがばねにより操作されているので従来の形式のかばんに比較して耐用である。他方、本発明のハンドルアセンブリは、使用者の需要に応じて拡充されているので極めて要理に操作することが出来る。
【００１７】
ここで注意すべきは、上記実施の形態は、本発明の技術的手段をより具体的に説明するために挙げたもので、当然本発明の技術的思想は、これに限定されるべきではなく、添付の特許請求の範囲を逸脱しない限り、当業者による単純な設計変更、付加、置換等はいずれも本発明の技術的範囲に属する。
【図面の簡単な説明】
【図１】図１（ａ）は、従来の技術の典型的なカバンを示す図である。
図１（ｂ）は、従来の技術の典型的なカバンを示す図である。
【図２】図２（ａ）は、本発明の一実施の形態に従った手提げカバンのバックルアセンブリを示す図である。
図２（ｂ）は、本発明の一実施の形態に従った手提げカバンのバックルアセンブリを示す図である。
【図３】図３（ａ）は、本発明の一実施の形態に従った手提げカバンのハンドルアセンブリを示す図である。
図３（ｂ）は、本発明の一実施の形態に従った手提げカバンのハンドルアセンブリを示す図である。
【符号の説明】
２１　バックル部材
２２　開閉板
２３　雄バックルメンバー
３２　固定器
２１１　第１の固定装置
２２１　第１の噛み合わせ部材
２３１　第２の固定装置
２３２　凹溝
２３３　第２の噛み合わせ部材
３１１　延伸部分
３１２　支持カバー
３２１　ベース
３２２　円形バックル
【図１】
2004081803.tif 000003
【図２】
2004081803.tif 000004
【図３】
2004081803.tif 000005